【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
濾過システムのスパイラル型膜エレメントをシールするように機能するシール板であって、
中心チャネルの周囲に支持され、この中心チャネルとリムとの間に位置する第２のチャネルを画定するリムを備え、
前記リムは、前記中心チャネルの軸に垂直な面と実質的に合うように位置する軸方向面を有しており、
前記軸方向面の一部がテクスチャを有し、このテクスチャは、第２のシール板の対応する軸方向面の一部のテクスチャパターンに対して相補的なパターンを有し、
前記シール板及び前記第２のシール板の前記軸方向面の前記テクスチャは、前記シール板の接触時に相互に噛み合うように形成され、
前記相互に噛み合うテクスチャは、前記リムの外側の空間及び前記第２のチャネル内の流体に蛇行経路を形成しているシール板。
【請求項２】
前記シール板及び前記第２のシール板における前記軸方向面の前記テクスチャは、前記シール板及び前記第２のシール板の軸方向面に沿って半径方向に延びる相補的なパターンを備える請求項１のシール板。
【請求項３】
前記相補的なパターンが、略正方形の段付きパターンを備える請求項２のシール板。
【請求項４】
前記相補的なパターンが、ｖ字型形状パターンを備える請求項２のシール板。
【請求項５】
前記相補的なパターンが、谷部と台形の山部とを備える請求項２のシール板。
【請求項６】
前記相補的なパターンが、前記シール板と前記第２のシール板との位置合わせを容易にする位置決め構造を含む請求項２のシール板。
【請求項７】
前記リムの外周に位置する複数の半径方向面を更に備え、これらの半径方向面は、前記シール板を円筒状の筐体内の中心に配するように形成されている請求項１のシール板。
【請求項８】
前記シール板は、前記スパイラル型膜エレメントの流入端に結合されており、前記第２のチャネルを介して導入される流体の一部が、前記スパイラル型膜エレメントによって濾過されて前記中心チャネルへ導かれる請求項１のシール板。
【請求項９】
前記シール板を前記第２のシール板と緊密に接触した状態に維持するように機能するラッチを更に備え、このラッチの一部が、前記リムの半径方向外面に設けられている請求項８のシール板。
【請求項１０】
前記ラッチは、前記リムの前記半径方向外面に固定されているとともに、前記第２のシール板の対応する半径方向外面に設けられる受け入れ溝と係合するように形成された爪を備える請求項９のシール板。
【請求項１１】
前記ラッチは、スペーサーとして機能し、このスペーサーが、前記スパイラル型膜エレメントを取り囲む円筒ハウジングと実質的に同軸に位置合わせされる状態に、前記シール板を維持するように形成されている請求項１０のシール板。
【請求項１２】
本体部から濾液を収集する収集チャネルを取り囲む円筒濾過本体部と、
前記本体部の両端に結合される一対のシール板と
を備え、
各シール板は、
環状のリムの軸に垂直な面と一致する軸方向面を有する、環状リムと、
前記軸方向面の一部を取り囲むように設けられているとともに、前記シール板の接触時に他のシール板の対応するテクスチャ帯と相互に噛み合うように構成されるテクスチャ帯と
を備え、
前記相互に噛み合うテクスチャ帯は、前記リムの外側の空間から前記本体部を実質的にシールするラビリンスシールを形成している濾過エレメント。
【請求項１３】
各シール板の前記テクスチャ帯は、他のシール板に設けられる相補的なテクスチャパターンと嵌合するように形成されるテクスチャパターンを有する部分を含む請求項１２の濾過エレメント。
【請求項１４】
各シール板の前記テクスチャ帯は、相補パターン対を有する複数の領域を画定し、
この相補パターン対は、各シール板と対向するシール板とが互いに所定の位置合わせ状態となるときに、各シール板の前記テクスチャ帯が隣接する濾過エレメント上の対向するシール板のテクスチャ帯と噛み合うように配置されている請求項１２の濾過エレメント。
【請求項１５】
１つの相補的なパターン対が、長方形の凹部を備える第１のパターンと、この長方形の凹部に嵌合するように形成される隆起した台形領域を備える第２のパターンとを有する請求項１４の濾過エレメント。
【請求項１６】
筐体と、
この筐体内で端部どうしが接続されている複数の濾過エレメントと、
を備え、
各濾過エレメントは、
本体部から濾液を収集する収集チャネルを取り囲む円筒濾過本体部と、
前記本体部の異なる端部に結合される一対のシール板と、
を備え、
各シール板が前記収集チャネルと同軸のリムを有しており、このリムは、前記各シール板の軸に垂直な面と実質的に合うように位置する軸方向面を有しており、
前記一対のシール板のそれぞれの面に、パターン化されたテクスチャが形成されており、
これらのパターン化されたテクスチャは、相補的であるとともに、前記シール板の接触時に互いに噛み合うように形成され、これにより、前記リムの外側の空間への前記本体部内の濾過されていない流体の流れを実質的にシールする蛇行経路を形成している濾過システム。
【請求項１７】
前記パターン化されたテクスチャは、前記シール板の軸方向面に沿って半径方向に延びている、請求項１６のシステム。
【請求項１８】
前記各シール板のパターン化されたテクスチャは、２つの相補的なパターンを含んでおり、これらの相補的なパターンは、前記一対のシール板が所望の位置合わせ状態にあるときに、２つのパターンのそれぞれの位置が、他方のシール板上の相補パターンの位置と合うように、前記各シール板上に対称的に配置されている請求項１７のシステム。
【請求項１９】
前記パターンが、段付きパターン及びｖ字型形状パターンのうちの１つ以上を備える請求項１８のシステム。
【請求項２０】
前記パターンが、長方形パターン及び台形パターンのうちの１つ以上を備える請求項１８のシステム。
【請求項２１】
前記相補的なパターンは、隣接するシール板の前記所望の位置合わせを容易にする位置決め構造を備える請求項１８のシステム。
【請求項２２】
前記リムの外周に位置する複数の半径方向面を更に備え、これらの半径方向面が、前記シール板を前記筐体内の中心に配する請求項１６のシステム。
【請求項２３】
隣接する濾過エレメントを互いに緊密に接触した状態に維持するように機能するラッチを更に備え、このラッチが隣接する１つ以上のシール板に具現化されている請求項１６のシステム。
【手続補正２】
【補正対象書類名】明細書
【補正対象項目名】００３８
【補正方法】変更
【補正の内容】
【００３８】
本発明の特定の実施形態は、濾過システムのスパイラル型膜エレメントをシールするように機能するシール板を提供する。特定の実施形態では、シール板は、濾過エレメントの雌雄同体のシールを形成する。これらの特定の実施形態は、リムを備える。このリムは、中心チャネルの周囲に支持されている。また、このリムは、中心チャネルとリムとの間に位置する第２のチャネルを画定する。特定の実施形態では、リムは、中心チャネルの軸に垂直な面の位置とほぼ合わせられる軸方向面を有する。特定の実施形態では、軸方向面の一部が、テクスチャを有する。特定の実施形態では、テクスチャは、第２のシール板の対応する軸方向面の一部のテクスチャに対して相補的なパターンを有する。特定の実施形態では、シール板及び第２のシール板の軸方向面のテクスチャが、シール板の接触時に相互に噛み合うように形成される。特定の実施形態では、相互に噛み合うテクスチャは、リムの外側の空間及び第２のチャネル内の流体間に、蛇行経路を形成する。特定の実施形態では、シール板及び第２のシール板の軸方向面のテクスチャが、シール板及び第２のシール板の軸方向面に沿って半径方向に延びる相補的なパターンを備える。特定の実施形態では、相補的なパターンが、略正方形の段付きパターンを備える。特定の実施形態では、相補的なパターンがｖ字型形状パターンを備える。特定の実施形態では、相補的パターンが、谷部及び台形山部を備える。特定の実施形態では、相補的なパターンは、位置決め構造を含む。この構造は、シール板と第２のシール板との位置合わせを容易にするように形成される。